(57)【特許請求の範囲】
【請求項１】
本体ケースの一側面に本体ケース内に浄化する空気を取り込む開口を形成し、該開口を多数の穴が形成された吸気板で覆った空気清浄機において、前記吸気板に、その周縁から外方に突出する取付片を形成し、該取付片を本体ケースの一側面の前記開口の周囲に設けた係着孔より挿入して本体ケースの裏面に係止すると共に、前記多数の穴は、前記取付片の先端には存在しないように形成してなることを特徴とする空気清浄機。
【請求項２】
前記取付片は、前記穴上又は近傍で折り曲げられて係止されることを特徴とする請求項１に記載の空気清浄機。
【請求項３】
前記吸気板の周縁を前記一側面側に折り曲げ、前記一側面には前記周縁が嵌合する段落ち部を形成したことを特徴とする請求項１又は請求項２に記載の空気清浄機。
【請求項４】
前記吸気板の裏面を覆うように通気性を有するシートを設け、該シートを、前記吸気板の周縁と前記段落ち面との間に介在させたことを特徴とする請求項３に記載の空気清浄機。
【請求項５】
前記シートは集塵機能を有することを特徴とする請求項４に記載の空気清浄機。
【発明の詳細な説明】
【０００１】
【発明の属する技術分野】
本発明は、本体ケース内に浄化する空気を取り入れる開口を、打ち抜きによる多数の穴が形成された吸気板で覆った空気清浄機に関するものである。
【０００２】
【従来の技術】
従来の空気清浄機として、本体ケースの前面に本体ケース内に浄化する空気を取り入れる開口を形成し、この開口を金属製の吸気板で通気可能に覆ったものが知られている。
【０００３】
本体ケースと吸気板とは、吸気板の周縁から突出する取付片を、前記枠体に形成した係着孔に挿入し、折り曲げて前記枠体の裏面に係止することで組み立てていた。
【０００４】
しかしながら、吸気板は、全面全体に打ち抜きにより多数の穴が形成されたパンチングメタルを所定の形状に切断して形成しているため、図７に示すように取付片３３の先端３４まで打ち抜きによる穴８が及んでおり、取付片３３の先端３４にエッジ５１が形成されるため、取付片３３を前記係着孔に係止する際に、取付片３３の先端３４のエッジ５１が枠体に当たって傷ついたり、取付片３３を折り曲げる際に取付片３３の先端３４のエッジ５１に手が当たって怪我をする恐れがあった。
【０００５】
【発明が解決しようとする課題】
本発明は、吸気板を本体ケースに取り付ける際に、本体ケースが傷ついたり、吸気板で怪我をしたりするのを防止できる空気清浄機を提供することを課題とする。
【０００６】
【課題を解決するための手段】
上記課題を解決するための第１の手段は、本体ケースの一側面に本体ケース内に浄化する空気を取り込む開口を形成し、この開口を多数の穴が形成された吸気板で覆った空気清浄機において、前記吸気板に、その周縁から外方に突出する取付片を形成し、この取付片を本体ケースの一側面の前記開口の周囲に設けた係着孔より挿入して本体ケースの裏面に係止すると共に、前記多数の穴は、前記取付片の先端には存在しないように形成したものである。
【０００７】
これにより、取付片の先端にエッジが形成されることがなく、一側面から挿入する際に取付片の先端が当たっても一側面が傷つくのを防止できる。また、裏面に係止する際に取付片の先端に手が当たっても怪我をする恐れがない。
【０００８】
上記構成において、前記取付片は、前記穴上又は近傍で折り曲げられて係止されることが望ましい。
【０００９】
これにより、折り曲げ部の強度の弱くすることができ、取付片を容易に折り曲げることができる。
【００１０】
また、前記吸気板の周縁を前記一側面側に折り曲げ、この一側面には前記周縁が嵌合する段落ち部を形成したものである。
【００１１】
これにより、吸気板の周縁を補強できると共に、この周縁を段落ち部内に位置させて手が触れるのを防止することができる。
【００１２】
また、前記吸気板の裏面を覆うように通気性を有するシートを設け、このシートを、前記吸気板の周縁と前記段落ち面との間に介在させることが望ましい。
【００１３】
これにより、吸気板に形成された穴を介して本体内が見えるのを防止できると共に、吸気板の周縁が段落ち面に当接するのを防止でき、運転中の振動により吸気板が振動し、吸気板と段落ち面との間でビビリ音が発生するのを防止できる。
【００１４】
また、前記シートは集塵機能を有することが望ましい。
【００１５】
これにより、前記シートをプレフィルタとして利用することができる。
【００１６】
【発明の実施の形態】
図１乃至図６に本発明の実施の形態を示し、これらの図に基づき説明する。
【００１７】
空気清浄機本体ケース１は、前カバー２と、上面の一側にグリル状の吐出口３が形成された後カバー４と、各種操作ボタン５や表示部６が形成された上カバー７から外郭が形成されている。前カバー２には、全面に多数の吸気口となる穴８が形成された吸気板９が装着され、この穴８を介して外気が本体内に吸引されるように、前カバー２は大きな格子状の開口１０が形成されている。
【００１８】
本体ケース１内は、仕切板１１により前後に区画されており、仕切板１１と前カバー２間には、空気を集塵脱臭するフィルタ装置１２が内蔵され、仕切板１１と後カバー４間には、モータ１３とこのモータにより回転されるファン１４より構成される送風機１５が内蔵されている。モータ１３は仕切板１１に装着されている。ファン１４の周囲は、後カバー４より一体に突設された渦巻状のファンケーシング１６で囲まれ、このファンケーシング１６内が吐出口３と連通している。
【００１９】
そして、送風機１５が駆動することにより、前記穴８を介して外気が吸引され、吸引された外気は、フィルタ装置１２で集塵且つ脱臭されて浄化され、ファンケーシング１６内を通って吐出口３より放出される。
【００２０】
前記フィルタ装置１２は、プレフィルタ１７と集塵フィルタ１８と脱臭フィルタ１９から構成される。
【００２１】
プレフィルタ１７は、格子状の合成樹脂製枠体２０とこの枠体２０上に保持される不織布からなるフィルタ素材２１からなる。
【００２２】
集塵フィルタ１８は、エレクトレット化されたポリプロピレン不織布を襞折り状に加工してその周囲を紙製枠体に固着して形成されている。
【００２３】
脱臭フィルタ１９は、ポリフェノール類を含浸させたセルロースビーズ２２からなる第１脱臭層と、クエン酸を含浸してアンモニアを化学脱臭する不織布層２３から構成される第２脱臭層と、紙により形成されたハニカム状構造体内に活性炭粒子２４を収納して形成される第３脱臭層と、これら第１乃至第３脱臭層の外周を固着する紙製の枠体２５から構成される。活性炭粒子２４は、塩基性ガス、中性ガス、酸性ガスの夫々に対応する成分が含浸された複数種類からなる。
【００２４】
脱臭フィルタ１９と集塵フィルタ１８は仕切板１１に形成したフィルタ収納室２６内に脱臭フィルタ１９が風下側になるように収納され、プレフィルタ１７は集塵フィルタ１８の風上側に配置される。
【００２５】
そこで吸気口となる穴８より吸引された外気は、初めにプレフィルタ１７により粗い塵埃が捕獲され、続いて集塵フィルタ１８で微少な塵埃が除去され、脱臭フィルタ１９へ流入する。脱臭フィルタ１９では、まずセルロースビーズ２２で特定の臭い主に加齢臭と呼ばれる体臭が除去され、続いて不織布層２３でアンモニア成分が化学吸着される。最後に残った臭い成分が活性炭粒子２４で除去されて吐出口３より出ていく。ここではアンモニア成分の除去を重要視して第２脱臭層である不織布層２３をアンモニア対応としたが、他の臭い成分対応とすることや、この不織布層を複数設けて複数の特殊臭い成分対応とすることもできる。
【００２６】
前記前カバー２は大きな格子状の開口１０を有する枠体２７と、開口１０を覆う吸気板９と、吸気板９の裏面側に設けられるシート２８から構成されている。
【００２７】
前記枠体２７の左右両側には押しボタン２９の操作により仕切板１１に着脱自在に係止される係止爪（図示せず）が形成されている。また、前面には開口１０より大きな段落ち部３０が形成され、この段落ち部３０の周縁には複数の係着孔３１が形成されている。
【００２８】
前記吸気板９のほぼ全面には多数の穴８が形成されており、この穴８を吸気口としている。また、吸気板９の周縁３２は枠体２７側に折曲され、枠体２７の段落ち部３０に嵌合可能な形状に形成されている。
【００２９】
この周縁３２には外方に突出し、前記係着孔３１に挿入される取付片３３が左右上下の複数箇所に形成されている。この取付片３３は図６に示すように折り曲げ部（図中の一点鎖線Ｘ）上に穴８が形成され、この折り曲げ部Ｘの強度を弱くしている。この吸気板９は、ステンレス鋼板に、全面全体ではなく、左右上下の取付部３３の折り曲げ部Ｘ間の略矩形の範囲のみに、打ち抜きにより多数の穴８を形成した後、外周を所定の形状に切断して取付片３３を一体に形成している。これにより、取付片３３の先端３４には打ち抜きによる穴８が及ばない（存在しない）ようにしており、従来の図７に示すようなエッジ５１が生じることがないようにしている。
【００３０】
前記シート２８は通気性を有するポリウレタンで形成されており、大きな粒子の塵埃を除去可能となっている。このシート２８は段落ち部３０の周縁に近接又は当接する大きさに形成されており、吸気板９の周縁３２と段落ち部３０との間に挟持される。（図４参照）
このように構成された前カバー２は、枠体２７の段落ち部３０にシート２８を載置し、吸気板９の取付片３３を枠体２７の係着孔３１に挿入し、枠体２７の裏面で折り曲げて係止し、組み立てられる。
【００３１】
この際に、吸気板９の周縁３２と段落ち部３０との間にはシート２８が介在するので、運転中の振動が前カバー２に伝わった際に吸気板９が振動し、吸気板９と枠体２７との間でビビリ音が発生するのを防止することができる。また、前記周縁３２が段落ち部３０に当たるのを防止できるので、前記周縁３２により段落ち部３０が傷つくのを防止できる。
【００３２】
また、上述の如く取付片３３の先端３４には打ち抜きによる穴８が及ばないようにしたことで、取付片３３の先端３４にはエッジが形成されず、取付片３３を係着孔３１に挿入する際に段落ち部３０に当たっても、傷つくのを防止できる。更に、係着孔３１に挿入された取付片３３を折り曲げて係止する際に取付片３３の先端３４に手が当たっても怪我をすることがない。
【００３３】
また、取付片３３を折り曲げる際に、強度的に弱い穴８上の折り曲げ部Ｘで折り曲げられるので、容易に折り曲げることができ、組立の作業性を向上できる。
【００３４】
このように組み立てられた前カバー２は吸気板９の周縁３２が段落ち部３０内に位置するので手が前記周縁３２に触れることがなく、怪我をするのを防止できる。また、吸気板９の裏面のほぼ全体を通気性を有するシート２８により覆うことで、本体ケース１内への吸気を可能としつつ、打ち抜きによる穴８を介して本体ケース１内が見えるのを防止でき、外観を向上できる。更に、前記シート２８を集塵機能を有するポリウレタン製としたことで、プレフィルタとしても使用できる。
【００３５】
尚、上記実施の形態において、取付片３３の折り曲げ部に打ち抜きによる穴８を設けたが折り曲げ部の近傍に穴８を設けてもよい。
【００３６】
また、吸気板９を本体ケース１の前面の前カバー２に設けたが、本体ケースの他の側面に設けてもよい。
【００３７】
【発明の効果】
本発明の請求項１によれば、本体ケースの一側面に吸気板を取り付ける際に、取付片の先端で本体ケースが傷つくのを防止でき、外観を損なうのを防止できると共に、裏面に係止する際に取付片の先端に手等が当たっても怪我をすることがなく、安全に作業を行うことができる。
【００３８】
本発明の請求項２によれば、折り曲げ部の強度を弱くすることができるので、取付片を折り曲げて係止する際に折り曲げやすくすることができ、作業性を向上できる。
【００３９】
本発明の請求項３によれば、吸気板の周縁が段落ち部内に位置し、手が触れるのを防止できるので、怪我をすることがなく、安全性を向上できる。
【００４０】
本発明の請求項４によれば、打ち抜きによる穴を介して本体内が見えるのを防止でき、外観を向上できると共に、吸気板の周縁が段落ち面に直接当たることがなく、段落ち面が傷つくのを防止できる。また、運転中に振動しても吸気板と段落ち部との間でビビリ音が生じるのを防止することもできる。
【００４１】
本発明の請求項５によれば、吸気板の裏面に設けたシートをプレフィルタとしても利用することができる。
【図面の簡単な説明】
【図１】本発明の実施の形態を示す空気清浄機の正面図である。
【図２】同空気清浄機の側面縦断面図である。
【図３】同空気清浄機の横断面図である。
【図４】図３におけるＡ部拡大図である。
【図５】図３におけるＢ部拡大図である。
【図６】図５における取付片近傍の要部拡大図である。
【図７】従来の空気清浄機の取付片近傍の要部拡大図である。
【符号の説明】
８          穴（打ち抜きによる穴）
９          吸気板
１０          開口
２８          シート
３０          段落ち部
３１          係着孔
３２          吸気板の周縁
３３          取付片
３４          取付片の先端
Ｘ          取付片の折り曲げ部
【図１】
0004424835.tif 000002
【図２】
0004424835.tif 000003
【図３】
0004424835.tif 000004
【図４】
0004424835.tif 000005
【図５】
0004424835.tif 000006
【図６】
0004424835.tif 000007
【図７】
0004424835.tif 000008